(57)【要約】【課題】  篩網および受皿の帯電を抑制し、安全かつふるい分け能力の高い振動篩を提供する。【解決手段】  本発明に係る振動篩１００は、粉体を内部に収容する容器４０と、容器４０内の空間を上下に区画する篩網１０と、篩網１０の下方に配置され、振動により篩網１０に衝突する球状の網叩３３と、網叩３３を支持する受皿３１と、篩網１０、受皿３１および容器４０を電気的に短絡する短絡部材８０とを備え、好ましくは篩網１０と受皿３１との間に挟み込まれたパッキン３２をさらに備え、短絡部材８０が、パッキン３２の外周に巻き付けられるとともに容器４０に当接する金属製の薄片３４からなる。【選択図】  図２
2014079706.tif 000002
【特許請求の範囲】
【請求項１】
振動することにより粉体を篩い分ける振動篩であって、
粉体を内部に収容する容器と、
前記容器内の空間を上下に区画する篩網と、
前記篩網の下方に配置され、振動により前記篩網に衝突する球状の網叩と、
前記網叩を支持する受皿と、
前記篩網、前記受皿および前記容器を電気的に短絡する短絡部材とを備える
ことを特徴とする振動篩。
【請求項２】
前記篩網、前記受皿および前記容器のうち少なくともいずれか一つに、前記短絡部材が弾性的に押圧されて当接する
ことを特徴とする請求項１に記載の振動篩。
【請求項３】
前記篩網と前記受皿との間に挟み込まれたパッキンをさらに備え、
前記短絡部材が、前記パッキンの外周に巻き付けられるとともに前記容器に当接する金属製の薄片からなる
ことを特徴とする請求項２に記載の振動篩。
【請求項４】
前記短絡部材が、前記篩網から上下に突出する伸縮可能なバネからなり、
前記バネの上端が、前記容器から延設された支持部材に当接するとともに、前記バネの下端が、前記受皿に当接する
ことを特徴とする請求項２に記載の振動篩。
【請求項５】
前記バネの伸縮方向を規定するガイド部材をさらに備える
ことを特徴とする請求項４に記載の振動篩。
【請求項６】
前記篩網が、紛体をふるい分ける金網と、前記金網の一の面の周縁部に固定されているリング部材とを有し、
前記ガイド部材が前記リング部材に固定されている
ことを特徴とする請求項５に記載の振動篩。
【請求項７】
前記ガイド部材が前記リング部材に埋設されているとともに、
前記リング部材の前記金網が固定されている面と反対側の面から前記ガイド部材が突出している
ことを特徴とする請求項６に記載の振動篩。
【発明の詳細な説明】
【技術分野】
【０００１】
本発明は、粉体の分級および選別に用いられる振動篩に関する。
【背景技術】
【０００２】
従来の技術として、篩網の上に粉体を供給し、振動させることにより、篩網を通過する粉体と通過しない粉体とにふるい分けるよう構成された振動篩が広く知られている。一般的な振動篩は、振動中に、紛体同士および紛体と篩網との摩擦により静電気が発生し、篩網に帯電することから、この篩網に紛体が付着して目詰まりを起こし、ふるい分け能力が低下するという問題があった。そのため、網叩と呼ばれる球状の物体を篩網の下方に配置し、振動で篩網に網叩を繰り返し衝突させることにより、その目詰まりを解消させるよう構成した振動篩が知られている（特許文献１、図７参照）。
【０００３】
なお、図７に示す従来の振動篩Ｖにおいて、金属製の篩網１０は、容器４０内において、隙間を封止するため、また金属同士の摩擦や摩耗粉の発生を防止するため、樹脂製の弾性体のパッキン２２，３２を介して支持されている。そのため篩網１０は電気的に絶縁されて、帯電した静電気が逃げない構造となっている。そのため、容器４０内でスパークが発生するおそれもあり、安全性に懸念を生じさせていた。
【０００４】
そこで、篩網１０の帯電を防止するため、導電性の短冊状の金網の一端を、接着剤で完全に絶縁しないように露出部分を設けて篩網１０に接着するとともに、他端を容器４０に密着させることにより、篩網１０が容器４０に導通するような振動篩が提案されている（特許文献２参照）。この振動篩は、篩網１０が容器４０に導通しているため、篩網１０の帯電が抑えられ、目詰まりや紛体の付着をある程度は抑制することができる。
【０００５】
一方、網叩３３は、篩網１０の下方に配置された金属製の受皿３１に載置される。受皿３１には、紛体が通過するための多数の孔３１ａが設けられている。受皿３１は、網叩３３が繰り返し衝突することにより、静電気が発生して帯電する。そして受皿３１も篩網１０と同様に、樹脂製の弾性体のパッキン４４を介して容器４０に支持されているため、電気的に絶縁されて、帯電した静電気が逃げない構造となり、容器４０内でスパークが発生する可能性が残っている。
【先行技術文献】
【特許文献】
【０００６】
【特許文献１】実開昭６４−３２７７４号公報
【特許文献２】特開２００２−３４６４７９号公報
【発明の概要】
【発明が解決しようとする課題】
【０００７】
そこで、本発明が解決しようとする課題は、篩網および受皿の帯電を抑制し、安全かつふるい分け能力の高い振動篩を提供することである。
【課題を解決するための手段】
【０００８】
本発明は、前記課題を解決するためになされたもので、請求項１に記載の発明は、振動することにより粉体を篩い分ける振動篩であって、粉体を内部に収容する容器と、前記容器内の空間を上下に区画する篩網と、前記篩網の下方に配置され、振動により前記篩網に衝突する球状の網叩と、前記網叩を支持する受皿と、前記篩網、前記受皿および前記容器を電気的に短絡する短絡部材とを備えることを特徴とする振動篩である。
【０００９】
請求項１に記載の発明によれば、運転中に篩網および受皿の帯電が抑制され、安全かつふるい分け能力の高い振動篩を提供することができる。
【００１０】
請求項２に記載の発明は、前記篩網、前記受皿および前記容器のうち少なくともいずれか一つに、前記短絡部材が弾性的に押圧されて当接することを特徴とする請求項１に記載の振動篩である。
【００１１】
請求項２に記載の発明によれば、振動中も確実に短絡して帯電が抑制される振動篩を提供することができる。
【００１２】
請求項３に記載の発明は、前記篩網と前記受皿との間に挟み込まれたパッキンをさらに備え、前記短絡部材が、前記パッキンの外周に巻き付けられるとともに前記容器に当接する金属製の薄片からなることを特徴とする請求項２に記載の振動篩である。
【００１３】
請求項３に記載の発明によれば、篩網および受皿の帯電を抑制するための短絡部材の取り付けが容易であり、振動中も確実に短絡する振動篩を提供することができる。
【００１４】
請求項４に記載の発明は、前記短絡部材が、前記篩網から上下に突出する伸縮可能なバネからなり、前記バネの上端が、前記容器から延設された支持部材に当接するとともに、前記バネの下端が、前記受皿に当接することを特徴とする請求項２に記載の振動篩である。
【００１５】
請求項４に記載の発明によれば、高精度な位置決めを必要とすることなく、篩網、受皿および容器を電気的に短絡させることが可能であり、振動中も確実に短絡する振動篩を提供することができる。
【００１６】
請求項５に記載の発明は、前記バネの伸縮方向を規定するガイド部材をさらに備えることを特徴とする請求項４に記載の振動篩である。
【００１７】
請求項５に記載の発明によれば、分解して再組立する際にも、篩網、受皿および容器の間の短絡を、繰り返し確実に行うことが可能な振動篩を提供することができる。
【００１８】
請求項６に記載の発明は、前記篩網が、紛体をふるい分ける金網と、前記金網の一の面の周縁部に固定されているリング部材とを有し、前記ガイド部材が前記リング部材に固定されていることを特徴とする請求項５に記載の振動篩である。
【００１９】
請求項６に記載の発明によれば、製造が容易でありかつガイド部材の強度が高く、信頼性の高い振動篩を提供することができる。
【００２０】
請求項７に記載の発明は、前記ガイド部材が前記リング部材に埋設されているとともに、前記リング部材の前記金網が固定されている面と反対側の面から前記ガイド部材が突出していることを特徴とする請求項６に記載の振動篩である。
【００２１】
請求項７に記載の発明によれば、篩網を受皿の上における位置決めが容易となる振動篩を提供することができる。
【発明の効果】
【００２２】
本発明によれば、運転中に篩網および受皿の帯電が抑制され、安全かつふるい分け能力の高い振動篩を提供することができる。
【図面の簡単な説明】
【００２３】
【図１】本発明に係る振動篩を示す部分断面側面図である。
【図２】本発明の第一実施形態に係る振動篩における、図１の領域Ａを拡大して示す拡大断面側面図である。
【図３】図２における矢視Ｂ−Ｂを見る矢視図であり、上枠、上方支持部材、パッキンおよび篩網を除いて見た図である。
【図４】本発明の第二実施形態に係る振動篩における、図１の領域Ａを拡大して示す拡大断面側面図である。
【図５】本発明の第二実施形態に係る振動篩における篩網の分解斜視図である。
【図６】本発明の第二実施形態に係る振動篩における篩網の他の例の斜視図である。
【図７】従来の振動篩の篩網の支持部近傍を示す拡大断面側面図である。
【発明を実施するための形態】
【００２４】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２５】
（第一実施形態）
本発明に係る振動篩の第一実施形態について、図１〜３に基づき説明する。図１は、本発明に係る振動篩を示す部分断面側面図であり、図２は、本発明の第一実施形態に係る振動篩における、図１の領域Ａを拡大して示す拡大断面側面図であり、図３は、図２における矢視Ｂ−Ｂを見る矢視図であり、上枠、上方支持部材、パッキンおよび篩網を除いて見た図である。
【００２６】
まず最初に振動篩の機能について説明する。図１に示す振動篩１００は、投入口４６から容器４０の内部に投入された粉体を、容器４０の内部に収容された篩網１０によりふるい分け、所定の粒径より大きい粒径の粉体を排出口４７から排出し、所定の粒径以下の粒径の粉体を排出口４８から排出するよう作動するものである。
【００２７】
次に振動篩１００の構成について図１，２に基づき説明する。振動篩１００は、容器４０と、容器４０に結合された振動手段５０とを有し、容器４０はスプリング７０を介して下台６０に弾性的に支持されている。容器４０は、振動手段５０の振動が伝達することによって加振されるよう構成されている。なお振動手段５０は、偏心するウェイトを回転させることにより振動を発生させる。また、容器４０は、図示しない接地手段によりアースされている。
【００２８】
容器４０は、中枠４１、下枠４２および蓋４５から構成されている。円筒状の下枠４２の上に円筒状の中枠４１が積み重ねられ、さらにその上に蓋４５が重ねられて、略円筒状の容器４０が形成されている。中枠４１と下枠４２、および蓋４５と中枠４１は、外周から巻回されるバンド４３によってそれぞれ結合されている。なお、中枠４１、下枠４２、蓋４５およびバンド４３はいずれも金属製である。バンド４３は周方向に分割されており、図示しないスナップ錠で締め込まれる。
【００２９】
容器４０の内部における中枠４１と下枠４２との結合部には、円板状の受皿３１がパッキン４４を介して略水平に支持されており、受皿３１の上には、複数の球状の網叩３３が移動自由に載置されている。そして受皿３１の上方には篩網１０が離間して配置されており、受皿３１と篩網１０との間にはリング状のパッキン３２が介在している。篩網１０は、容器４０の内部の空間を上側空間４０ａと下側空間４０ｂとに上下に区画している。なお、短冊状の金属製の薄片３４がパッキン３２の外周に巻き付けられているが、詳細は後述する。
【００３０】
上側空間４０ａにある粉体は、振動する篩網１０によりふるい分けられ、所定の粒径より小さい粒径の粉体は篩網１０を通過して下側空間４０ｂに移動し、所定の粒径以上の粉体は篩網１０を通過することなく上側空間４０ａに留まる。篩網１０の網目の大きさは、ふるい分ける粉体の粒径に応じて決定される。
【００３１】
篩網１０は、網叩３３から離間して上方に配置されているが、容器４０が振動するとこれに伴って網叩３３も上下に振動し、篩網１０に衝突することにより篩網１０の目詰まりが阻止されるよう構成されている。なお、受皿３１には多数の孔３１ａが設けられており、篩網１０を通過した粉体は受皿３１も通過し、下側空間４０ｂに落下する。
【００３２】
中枠４１には上側空間４０ａと連通する排出口４７が延設されており、下枠４２には下側空間４０ｂと連通する排出口４８が延設されている。すなわち、所定の粒径より小さい粒径の粉体は排出口４８から排出され、所定の粒径より大きい粒径の粉体は排出口４７から排出される。
【００３３】
次に、篩網１０および受皿３１を支持する構造の詳細について、図２，３に基づき説明する。
【００３４】
篩網１０は、円形の金網１１および金網１１の周縁部に固定されているリング部材１５から構成されている。金網１１のふるい分ける粒径に応じて網目のサイズが選択される。リング部材１５は断面が角パイプ状であり、接着、溶接、ろう付けなど、任意の方法で金網１１の下面に固定されるが、金網１１に導通するように固定される。
【００３５】
篩網１０は、リング部材１５が固定された周縁部において、上下に挟み込まれて容器４０に支持される。すなわち、篩網１０の上側、すなわち金網１１の上面は、パッキン２２を介して、上方支持部材２１により下向きに押さえつけられ、篩網１０の下側、すなわちリング部材１５の下面は、リング状のパッキン３２を介して、受皿３１により上向きに押さえつけられる。なお、上方支持部材２１は、容器４０の中枠４１から、容器４０の内部に向けて延設された金属製の部材であり、中枠４１と導通している。
【００３６】
ここで、篩網１０、受皿３１および容器４０を電気的に短絡する短絡部材８０について説明する。本実施形態では、短絡部材８０として、短冊状の金属製の薄片３４がパッキン３２の、長手方向に垂直な断面における外周に巻き付けられている。
【００３７】
薄片３４の長さは、パッキン３２の外周長さより長く設定されており、パッキン３２の外周に巻き付けて余った部分が、パッキン３２から延びる舌状部３４ａとなる。舌状部３４ａは、中枠４１のフランジ部４１ａとパッキン４４との間に挟み込まれる。そして、外周から巻回されるバンド４３によりフランジ部４１ａはパッキン４４に向けて押圧されているため、舌状部３４ａはフランジ部４１ａに密着している。すなわち、篩網１０は短絡部Ｓ１で、受皿３１は短絡部Ｓ２で、そして中枠４１は短絡部Ｓ３で、パッキン３２に巻き付けられた薄片３４に密着し、電気的に導通するよう構成されている。容器４０はアースされているため、篩網１０および受皿３１の静電気はアースに落ちることになる。なお、短絡部Ｓ１および短絡部Ｓ２は、パッキン３２により弾性的に押圧されるため、振動しても当接が維持され、短絡を維持することが可能となる。
【００３８】
なお、図２，３に示す薄片３４の舌状部３４ａは、中枠４１のフランジ部４１ａと密着しつつ、周方向に分割されたバンド４３の隙間を通り、容器４０の外部に端部が突出するよう構成されている（図３、二点鎖線参照）。しかし、薄片３４の舌状部３４ａは、中枠４１のフランジ部４１ａと密着し、さらにパッキン４４の外面に沿って折り込まれ、下枠４２のフランジ部４２ａに密着するよう構成することも可能である。
【００３９】
薄片３４の材質としては、導電性を有するものの中から任意に選択できるが、厚さ０．１ｍｍ程度のステンレスの薄板や、厚さ０．１２ｍｍ程度のステンレステープなどが、耐食性に優れるため、好適に用いられる。勿論、鉄やアルミの薄板や、アルミテープなども用いることができる。
【００４０】
本実施形態に係る振動篩１００は、短絡部材を金網１１などの部材と絶縁しないように露出部分を設けたうえで接着などする必要なく、単に短絡部材８０たる薄片３４をパッキン３２に巻き付けた上で、通常と同様に組立するだけで、篩網１０および受皿３１が容器４０に導通する。そして、弾性体たるパッキン３２による押圧により、振動中も導通が解除されることない。すなわち、運転中に篩網１０および受皿３１の帯電が抑制され、安全かつふるい分け能力の高い振動篩１００を容易に構成することが可能となる。
【００４１】
（第二実施形態）
次に、本発明に係る振動篩の第二実施形態について、図４〜６に基づき説明する。図４は、本発明の第二実施形態に係る振動篩における、図１の領域Ａを拡大して示す拡大断面側面図であり、図５は、本発明の第二実施形態に係る振動篩における篩網の分解斜視図である。また図６は、本発明の第二実施形態に係る振動篩における篩網の他の例の斜視図である。なお、第二実施形態に係る振動篩２００の全体的な構成は、第一実施形態に係る振動篩１００と同様であり、相違点は、篩網１０の具体的な構成および短絡部材８０の構成である。したがって、以下に相違点たる篩網１０の構成を中心に説明し、対応する箇所には同一の符号を付して説明する。
【００４２】
第二実施形態に係る篩網１０は、第一実施形態と同様に、金網１１、リング部材１５を主要な構成要素とする。そして、短絡部材８０としてのバネ１２を支持するため、バネ１２の伸縮をガイドするガイド部材１３、およびバネ１２を支持するバネ支持ピン１４を備えている。
【００４３】
バネ１２、ガイド部材１３およびバネ支持ピン１４の構成について、図４に基づき説明する。断面が角パイプ状のリング部材１５には、上下に貫通する貫通孔１５ａが設けられており、その貫通孔１５ａには金属製の円筒体からなるガイド部材１３が嵌められ、固定されている。また、リング部材１５にその周縁部が固定される金網１１についても、貫通孔１５ａと連なる位置に、孔１１ａが設けられている（図５参照）。ガイド部材１３はリング部材１５に溶接などにより固定され、電気的に導通している。ガイド部材１３の上端は、リング部材１５の上面とほぼ同一面に位置し、下端は、リング部材１５の下面から突出している（図５参照）。
【００４４】
ガイド部材１３の内部には、短絡部材８０としてのバネ１２が配置されている。バネ１２は、金属製のコイルばねである。ここで、ガイド部材１３には、径方向に貫通する金属製のバネ支持ピン１４が打設されている。ガイド部材１３の内部において、径方向に延びるバネ支持ピン１４が、バネ１２のコイル線間に挟持されることにより、バネ１２がガイド部材１３に支持されている（図４，５参照）。そして、バネ１２の伸縮方向が、ガイド部材１３により規定される。なお、図４，５に示す例では、三組のガイド部材１３およびバネ支持ピン１４が篩網１０に設けられ、それぞれにバネ１２が結合されている。
【００４５】
バネ１２は、金属製のバネ支持ピン１４および金属製のガイド部材１３を介して、篩網１０と導通している。また、バネ１２は、自然長において、ガイド部材１３の上下端から突出するよう設定されている。そのため、篩網１０を受皿３１の上に載置することにより、バネ１２は縮んでその下端が受皿３１に接触する。また、篩網１０はパッキン２２を挟んで上方支持部材２１に押さえつけられるため、上方に突出するバネ１２が縮んでその上端が上方支持部材２１に接触する。そして、上方支持部材２１は、容器４０の中枠４１から、容器４０の内部に向けて延設された金属製の部材であり、中枠４１と導通している。すなわち、篩網１０は短絡部Ｓ１で、受皿３１は短絡部Ｓ２で、中枠４１は短絡部Ｓ３で、バネ１２に当接し、導通するよう構成されている。そして、バネ１２の両端は、受皿３１および上方支持部材２１に弾性的に押圧されるため、振動しても当接が維持され、導通を維持することが可能となる。なお、パッキン２２は、貫通孔１５ａおよび孔１１ａが連なる部分を避けて形成されており、バネ１２と上方支持部材２１との導通に干渉しない。
【００４６】
上述のように、短絡部材８０たるバネ１２は、篩網１０と一体となっている。そしてバネ１２は、ガイド部材１３により伸縮方向が規定されるため、途中で折れ曲がることなく、その両端が受皿３１および上方支持部材２１にそれぞれ当接する。このように構成することで、例えば振動篩２００を洗浄するため分解した後再組立をする際に、篩網１０を受皿３１の上に載置し、さらに中枠４１をその上にセットするだけで、篩網１０、受皿３１および中枠４１が導通するため、篩網１０、受皿３１および容器４０の短絡を、繰り返し確実に再現することができる。また、リング部材１５の下面からガイド部材１３が三か所で突出するため、安定した姿勢で篩網１０を受皿３１の上に載置することができる。さらに、図４に示すように、ガイド部材１３は、リング状のパッキン３２に外接点Ｃにて外接するよう構成される。したがって、パッキン３２に対して篩網１０を容易に位置決めすることができる。
【００４７】
なお、図４，５に示した例では、リング部材１５に、上下に貫通する貫通孔１５ａを設け、その貫通孔１５ａにガイド部材１３を嵌めて固定するよう構成されているが、ガイド部材１３の位置はこれに限られず、例えば、図６に示すように、リング部材１５の外周に溶接により結合するよう構成することも可能である。なお、図６に示す構成は、図４，５に示した構成と、ガイド部材１３の位置のみが異なっており、ガイド部材１３とバネ１２およびバネ支持ピン１４の位置関係は、図４，５に示した構成と同様であり、短絡する経路も図４，５と同様である。
【００４８】
本実施形態に係る振動篩２００は、短絡部材８０たるバネ１２が篩網１０と一体となっており、篩網１０、受皿３１および容器４０の短絡を、繰り返し確実に再現することができる。また、篩網１０の位置決めが容易である。そして、弾性体たるバネ１２による押圧により、振動中も導通が解除されることない。すなわち、運転中に篩網１０および受皿３１の帯電が抑制され、安全かつふるい分け能力の高い振動篩２００を容易に構成することが可能となる。
【符号の説明】
【００４９】
１００，２００  振動篩
１０            篩網
１１            金網
１２            バネ
１３            ガイド部材
１５            リング部材
２１            上方支持部材（支持部材）
３１            受皿
３２            パッキン
３３            網叩
３４            薄片
４０            容器
８０            短絡部材
【図１】
2014079706.tif 000003
【図２】
2014079706.tif 000004
【図３】
2014079706.tif 000005
【図４】
2014079706.tif 000006
【図５】
2014079706.tif 000007
【図６】
2014079706.tif 000008
【図７】
2014079706.tif 000009